(57)【要約】【課題】水平方向へ伸びるダクトへ組み込みが可能であって、設置スペースをコンパクトにでき、かつ気液の接触効率を向上させるとともに、圧力損失を低減させることができるスクラバ装置を提供する。【解決手段】水平方向へ伸びる吸引ダクト２に組み込まれるスクラバ装置１であって、前記ダクト２内の流路の上流側から下流側に向けて該ダクト２内に水平に配置されるフィルタエレメント３と、該フィルタエレメント３の上流側端部３ａを支持し前記ダクト２内の流路のうち上層流路Ｓ１を区画する上部隔壁部材４と、前記フィルタエレメント３の下流側端部３ｂを支持し前記ダクト２内の流路のうち下層流路Ｓ２を区画する下部隔壁部材５と、前記フィルタエレメント３の下方から洗浄水を散布するノズル６と、前記フィルタエレメント３の下方のダクト２に設けられる排水部７とを備えている。【選択図】図２
2009219943.tif 000002
【特許請求の範囲】
【請求項１】
水平方向へ伸びるダクトに組み込まれるスクラバ装置であって、
前記ダクト内の流路の上流側から下流側に向けて該ダクト内に水平に配置されるフィルタエレメントと、
該フィルタエレメントの上流側端部を支持し前記ダクト内の流路のうち上層流路を区画する上部隔壁部材と、
前記フィルタエレメントの下流側端部を支持し前記ダクト内の流路のうち下層流路を区画する下部隔壁部材と、
前記フィルタエレメントの下方から洗浄水を散布するノズルと、
前記フィルタエレメントの下方のダクトに設けられる排水部
とを備えてなるスクラバ装置。
【請求項２】
前記フィルタエレメントの下流側端部の近傍に堰状の水位調節板が設置されてなる請求項1記載のスクラバ装置。
【発明の詳細な説明】
【技術分野】
【０００１】
本発明はスクラバ装置に関する。さらに詳しくは、水平方向へ伸びるダクトへ組み込まれるスクラバ装置に関する。
【背景技術】
【０００２】
従来より、脱臭塔と、ファンと、オーバーフロー槽を備えた循環槽と、循環槽から脱臭塔に循環水を送る循環ポンプと、循環槽に補給水を供給する補給装置とを備えるスクラバ式脱臭装置がある（特許文献１参照）。
このスクラバ式脱臭装置においては、前記脱臭塔にスクラバ装置として多段の多孔板と噴霧ノズルとを配置し、吸引したガスや粉塵を噴霧された循環液と接触させて脱臭している。
また、他の従来のスクラバ装置として、水平方向に伸びるフィルタチャンバー内に排気流に対向して垂直にフィルタを設け、このフィルタに水をスプレーするとともにフィルタ上部から水をドリップしてフィルタに薄い吸い膜を形成して、排気中の溶剤を水に吸収させて除去する構成がある（特許文献２参照）。
【０００３】
【特許文献１】特開平７−１８５２５８号公報
【特許文献２】特開平４−２１９１１９号公報
【発明の開示】
【発明が解決しようとする課題】
【０００４】
前記特許文献１記載の脱臭装置のスクラバ装置は、性能を確保するために水膜層の形成を均一にする必要があり、垂直方向に伸びる流路の中に、水平にフィルタが配置されている。
そのため、脱臭装置全体が高く（大きく）なるとともに、設置に際して広い設置スペースが必要となるため、空間的制約が生じるという問題がある。また、設置工事費も高くなるばかりではなく、保守・点検にも費用がかかるという問題がある。
さらに、排水が下方のみなので、ガスの吹上げる力と水の落下抵抗とのバランスにて水膜層の厚さが決まるため、この厚さの調整が難しくなりやすいとともに、水膜層が厚くなると圧力損失も大きくなりやすいという問題もある。
【０００５】
一方、前記特許文献２記載のスクラバ装置では、噴霧した水は下方へ流れ落ち、水膜層の均一性に欠けるばかりか、噴霧した水はフィルタを伝って流れ去ってしまうので、排気と水との接触機会が少なく、噴霧水量に対し非常に接触効率が低下してしまう問題がある。
【０００６】
そこで、本発明は、叙上の事情に鑑み、水平方向へ伸びるダクトへ組み込みが可能であって、設置スペースをコンパクトにでき、かつ気液の接触効率を向上させるとともに、圧力損失を低減させることができるスクラバ装置を提供することを目的とする。
【課題を解決するための手段】
【０００７】
本発明のスクラバ装置は、水平方向へ伸びるダクトに組み込まれるスクラバ装置であって、前記ダクト内の流路の上流側から下流側に向けて該ダクト内に水平に配置されるフィルタエレメントと、該フィルタエレメントの上流側端部を支持し前記ダクト内の流路のうち上層流路を区画する上部隔壁部材と、前記フィルタエレメントの下流側端部を支持し前記ダクト内の流路のうち下層流路を区画する下部隔壁部材と、前記フィルタエレメントの下方から洗浄水を散布するノズルと、前記フィルタエレメントの下方のダクトに設けられる排水部とを備えてなることを特徴としている。
【０００８】
また、前記フィルタエレメントの下流側端部の近傍に堰状の水位調節板を設置するのが好ましい。
【発明の効果】
【０００９】
本発明によれば、ダクト内の流路を上部隔壁部材と下部隔壁部材とにより区画してダクト内にフィルタエレメントを水平に配置させることにより、小さなスペースに設置が可能であり、空間を有効利用できる。
このため、本発明のスクラバ装置は、ファンおよび脱臭ユニットのみを別置きするだけで良く、また、ダクトを天井に吊る設備にも導入が可能になる。
これにより、設置工事費および保守点検に掛かる費用を安価にできる。
【００１０】
また、本発明によれば、フィルタエレメントの表面上に貯留された水と通過空気とのあいだで気液接触が起こることから、接触効率を良くすることができる。
また、このフィルタエレメントの面積を任意に設定できるため、通過流速を遅くすることができ、水膜の形成が均一になるので接触効率を向上させることができる。その結果、脱臭効率を向上させるができる。
しかも、排水をフィルタエレメントの下部だけでなく、下流方向へもできるため、水膜層が厚くなりすぎて圧力損失が大きくなることを防ぐことができる。
【発明を実施するための最良の形態】
【００１１】
本発明のスクラバ装置は、エアクリーナ、空気浄化設備、ガス処理設備、厨房などの排気設備などに使用される、水平方向へ伸びるダクトに組み込で用いることができる。
ダクトとしては、角ダクト、円筒ダクトまたは楕円ダクトを用いることができる。
【００１２】
以下、添付図面に基づいて本発明のスクラバ装置を説明する。図１に示されるように、本発明の一実施の形態にかかわるスクラバ装置１は、吸引ファンＡにデミスタ装置を組み込んだ第２ダクトＢを介して上流位置に連結されるダクト（以下、吸引ダクトという）２に組み込まれている。この吸引ダクト２の形状は、断面が角型をしている。
前記スクラバ装置１は、図２〜３に示されるように、前記吸引ダクト２内の流路の上流側から下流側に向けて該ダクト２内に水平に配置されるフィルタエレメント３と、前記ダクト２内の流路のうち上層流路Ｓ１を区画する上部隔壁部材４と、前記ダクト２内の流路のうち下層流路Ｓ２を区画する下部隔壁部材５と、前記フィルタエレメント３の下方から洗浄水を散布するノズル６と、前記フィルタエレメント３の下方の吸引ダクト２に設けられる排水部７とが備えられている。
【００１３】
前記フィルタエレメント３としては、洗浄水を貯留できる構造体であれば、とくに限定されるものではないが、たとえば多孔質板や、多数の線材を積み重ねて作製した板状体、金属の繊維から形成されたフィルタなどを適宜選定して用いることができる。この洗浄水としては、水などを適宜用いることができる。
【００１４】
前記上部隔壁部材４は、吸引ダクト２の流路の形状を呈していればよく、本実施の形態では、流路のうち上層流路Ｓ１を横断する矩形をしており、吸引ダクト２の３辺の側壁（上側壁２ａとその両側壁）に固着されている。また、この上部隔壁部材４は、下端部にフィルタエレメント３の上流側端部３ａを支持するための支持部８が設けられている。この支持部８として、断面がコ字状の凹部を有する爪部材が用いられている。
前記下部隔壁部材５は、前記上部隔壁部材４と同様に流路のうち上層流路Ｓ２を横断する矩形をしており、吸引ダクト２の３辺の側壁（底壁２ｂとその両側壁）に固着されている。また、この下部隔壁部材４は、上端部にフィルタエレメント３の下流側端部３ｂを支持するための支持部９が設けられている。この支持部９として、前記支持部８と同様に断面がコ字状の凹部を有する爪部材が用いられている。
そして、前記フィルタエレメント３は、これらの爪部材に差し込んで固定されている。
【００１５】
前記ノズル６は、フィルタエレメント３の下面の広範囲へ水を噴霧することができれば、とくに限定されるものではない。そして、このノズル６の給水口には、ニップルを着けて直接ホースを介して水道蛇口に接続するか、またはポンプに接続することができる。
また、前記排水部７は、吸引ダクト２の下方において下層流路Ｓ２の上流側の底壁２ｂと下流側の底壁２ｂを窪ませるように傾斜させた交差部１０の両側側壁に連通して設けられている。この傾斜交差部１０により排水性が良くされている。底壁２ｂに集められた水は、この排水部７に継手を介して接続されるホースを通して外部に排出される。
【００１６】
本実施の形態では、小さなスペースに設置が可能であり、空間を有効利用できる。また、フィルタエレメントの表面上に貯留された水と通過空気とのあいだで気液接触が起こることから、接触効率を良くすることができる。
また、このフィルタエレメントの面積を任意に設定できるため、通過流速を遅くすることができ、水膜の形成が均一になるので接触効率が向上させることができる。しかも、排水をフィルタ下部だけでなく、下流方向へもできるため、水膜層が厚くなりすぎて圧力損失が大きくなることを防ぐことができる。
【００１７】
つぎに、他の実施の形態を説明する。本実施の形態では、図４に示されるように、前記フィルタエレメント３の下流側端部３ｂの近傍に堰状の水位調節板１２が設置されている。
スクラバ装置１１へ空気を流すと、フィルタエレメント３の下面から上面へ空気が流れ、噴霧された水はフィルタエレメント３内に捕捉されるか、フィルタエレメント３の上面方向へ吹上げられて次第に上面上へ貯留されていく。
この時、上面に貯留された水と通過空気とのあいだで気液接触が起こる。この貯留される水は、噴き上げるときの衝撃で一部はフィルタエレメント３の下部へ落水し、大部分は前記水位調節板１２を乗り越えて下流下方へ排水される。この時の貯留水の水位はこの水位調節板１２の突出した高さＨとなり、この高さＨを変えることにより、貯留水の水位を自在に操作することができる。
本実施の形態では、水位調節板を設置することより、フィルタエレメントの上面に水が貯留されるようになり、水膜層が形成されるので、噴霧水量に対する接触効率もさらに良くなる。また、水位調節板の高さを変え、貯留水の水位を調節することができるため、適切な水膜層厚さを容易に設定できる。この水位がフィルタの圧力損失に影響するので、適切な水位とすることにより、さらに低圧力損失での運転が可能となる。
なお、本実施の形態では、水位調節板１２を乗り越えて下流下方へ流れた水を排水させるために排水部１３が底壁２ｂにさらに設けられている。
【図面の簡単な説明】
【００１８】
【図１】本発明の一実施の形態にかかわるスクラバ装置の使用例を説明する図である。
【図２】図１におけるスクラバ装置の拡大断面図である。
【図３】図２の側面図である。
【図４】本発明の他の実施の形態にかかわるスクラバ装置の拡大断面図である。
【符号の説明】
【００１９】
１、１１  スクラバ装置
２        吸引ダクト
２ａ      上側壁
２ｂ      底壁
３        フィルタエレメント
３ａ      上流側端部
３ｂ      下流側端部
４        上部隔壁部材
５        下部隔壁部材
６        ノズル
７、１３  排水部
８、９    支持部
１２      水位調節板
Ｓ１      上層流路
Ｓ２      下層流路
【図１】
2009219943.tif 000003
【図２】
2009219943.tif 000004
【図３】
2009219943.tif 000005
【図４】
2009219943.tif 000006